(57)【特許請求の範囲】
【請求項１】
建物の開口部に残存する既設窓枠に対して装着される改修用窓枠を備え、
改修用下枠は、スペーサを介して既設下枠に載置されており、
改修用下枠の前壁の室内側には、室内側に向かう係止片を有するとともに、
既設下枠の前壁の室外側には、改修用下枠の係止片に対して上方から近接もしくは当接する係止受部を有する前壁浮上り防止部品が固定されており、
スペーサの室外側端部は、前壁浮上り防止部品に当接している
ことを特徴とする改修用サッシ。
【請求項２】
建物の開口部に残存する既設窓枠に対して装着される改修用窓枠を備え、
改修用下枠の前壁の室内側には、支持片と、支持片の下方において室内側に向かう係止片を有するとともに、
支持片は、既設下枠の上面に配置されたスペーサに載置されており、
既設下枠の前壁の室外側には、改修用下枠の係止片に対して上方から近接もしくは当接する係止受部を有する前壁浮上り防止部品が固定されている
ことを特徴とする改修用サッシ。
【発明の詳細な説明】
【技術分野】
【０００１】
本発明は、建物に残存している既設窓に対して装着することにより、窓を改修することのできる改修用サッシに関する。
【背景技術】
【０００２】
近年、築年数の大きい建築物が増えてきているが、築年数の大きい建物に使用されているサッシは断熱性が低く、室内外の熱がサッシを介して伝達しやすい。そのため、特に、建て替えが難しい集合住宅においては、既設サッシを断熱性の高い断熱サッシへ改修することが求められている。そのような状況のもと、改修用サッシへの改修をより容易に可能とするため、既設下枠を残存させたまま改修用サッシを装着する技術が知られている（特許文献１）。
【先行技術文献】
【特許文献】
【０００３】
【特許文献１】特許第３２２３９９３号公報
【発明の概要】
【発明が解決しようとする課題】
【０００４】
しかしながら、上記特許文献１の改修用サッシにおいては、改修用サッシの前壁が既設下枠の前壁に対してビス等により固着しており、意匠的に好ましくなく、施工性も悪かった。そして、改修用サッシの設置後に経年劣化等によりビス等の固着に緩みが生じ、改修用サッシ自体の固着に緩みが生じる可能性があった。
一方、改修用下枠の前壁をビス等により既設下枠に固着しないと、装着後の改修用下枠に対して下方向からの外力がかかった場合には、浮き上がったりする可能性があった。
【０００５】
本発明は、上記の事情を鑑み、建物の開口部に残存させた既設サッシに対して改修用サッシを装着する際に、改修用サッシの室外側を既設サッシにビス止めする必要のない改修サッシを提供することを目的とする。
【課題を解決するための手段】
【０００６】
本願の請求項１に係る発明は、建物の開口部に残存する既設窓枠に対して装着される改修用窓枠を備え、改修用下枠は、スペーサを介して既設下枠に載置されており、改修用下枠の前壁の室内側には、室内側に向かう係止片を有するとともに、既設下枠の前壁の室外側には、改修用下枠の係止片に対して上方から近接もしくは当接する係止受部を有する前壁浮上り防止部品が固定されており、スペーサの室外側端部は、前壁浮上り防止部品に当接していることを特徴とする。
また、本願の請求項２に係る発明は、建物の開口部に残存する既設窓枠に対して装着される改修用窓枠を備え、改修用下枠の前壁の室内側には、支持片と、支持片の下方において室内側に向かう係止片を有するとともに、支持片は、既設下枠の上面に配置されたスペーサに載置されており、既設下枠の前壁の室外側には、改修用下枠の係止片に対して上方から近接もしくは当接する係止受部を有する前壁浮上り防止部品が固定されていることを特徴とする。
【発明の効果】
【０００７】
既設窓枠に対して改修用サッシを装着するに際して、改修用サッシの前壁部をネジによって固着する必要がないので、改修用サッシの施工性を向上させるとともに、意匠性に優れた改修用サッシを提供することができる。
【図面の簡単な説明】
【０００８】
【図１】本発明の第１の実施形態に係る改修用サッシの縦断面図である。
【図２】本発明の第１の実施形態に係る改修用サッシの下枠の縦断面図である。
【図３】（ａ）は、本発明の第１の実施形態に係る改修用サッシの前壁浮上り防止部品の全体斜視図であり、（ｂ）は、改修用サッシの前壁浮上り防止部品の取付け状態を示す拡大縦断面図である。
【図４】本発明の第１の実施形態に係る改修用サッシの前壁浮上り防止部品を、既設下枠の前壁に取り付けた状態を示す斜視図である。
【図５】（ａ）は、本発明の第２の実施形態に係る改修用サッシの下枠の縦断面図であり、（ｂ）は既設下枠に前壁浮上り防止部品を取り付けた状態の既設下枠の一部正面図である。
【発明を実施するための形態】
【０００９】
本発明の実施形態について、図面を参考に説明する。
（全体の構成）
図１に示すように、本発明の実施形態の改修用サッシは、建物躯体Ａに対してアンカーＢ等により固定された既設窓枠２に対して、取付補助材３を介して、改修用窓枠１が装着されて構成されている。改修用窓枠１の室内外レールには、内外障子４が開閉自在に支持され、内外障子４の室外側には、網戸Ｎが摺動自在に配置されている。また、改修用窓枠１の室内側には、既設窓枠２の室内側を覆う額縁（化粧材）Ｃが配置されている。
そして、改修用下枠１２の室外壁部（前壁）１２４の下部には室内側に向かう係止片１２４ｂが形成されるとともに、既設下枠２２の室外側の前壁部（前壁）２２３には、強風等よる室外壁部（前壁）１２４のばたつきや浮上りを抑えるために前記係止片１２４ｂが係止する前壁浮上り防止部品５が固定されている。
以下、各構成について詳細に説明する。
【００１０】
−第１の実施形態−
（下枠部の構成）
本発明の第1の実施形態の改修サッシの下枠部分の構成について、図２を参照して説明する。
改修用サッシを構成する改修用下枠１２は、アルミ材の押出形材からなり、建物開口部に残存する既設下枠２２の内周面（上面）に下枠取付補助材３２を介して装着される。
既設下枠２２は、室内側レール２２１ａ及び室外側レール２２１ｂが立設する既設下枠本体２２１と、既設下枠本体２２１の室内側端より上方に延設される室内壁部２２２と、既設下枠本体２２１の室外側端より垂下される前壁部（前壁）２２３とから構成されている。
既設下枠２２の室内壁部２２２の上端は室内側に屈曲されて額部２２２ａが形成されており、前壁部（前壁）２２３には、前壁浮上り防止部品５がネジ等により固定されているとともに、前壁浮上り防止部品５の室内側で既設下枠２２の上面には、後述する改修用下枠１２の支持片１２４ａが載置されるスペーサ７が配置されている。
【００１１】
下枠取付補助材３２は、既設下枠２２の室内側レール２２１ａ及び室外側レール２２１ｂの上端面にスペーサ７を介して載置される上壁部３２１と、上壁部３２１の室内側下面より垂下する内壁部３２２と、上壁部３２１の室外側下面より垂下する外壁部３２３とにより、下方に向かって開口する溝状の長尺部材として構成され、既設下枠２２の室内側レール２２１ａ及び室外側レール２２１ｂを跨ぐように載置されている。そして、両レール２２１ａ、２２１ｂと下枠取付補助材３２との間に設けられるスペーサ７の枚数を変更することにより、下枠取付補助材３２の上面の高さを調節して、改修用窓枠を最適位置に設置することができる。下枠取付補助材３２の外壁部３２３には、適宜箇所にネジ孔があけられており、室外側からネジ等を締め付けることにより高さ調節がなされた下枠取付補助材３２を既設下枠２２の室外側レール２２１ｂに対して強固に固定している。
【００１２】
改修用下枠１２は、室内側レール１２１ａ及び室外側レール１２１ｂが立設する改修用下枠本体１２１と、改修用下枠本体１２１の室内側端より上方に延設され、その室外側面に気密材が配設された室内壁部１２２と、室内側レール１２１ａと室外側レール１２１ｂとの間の位置から上方に延設され、その室外側面に気密材が配設された中間壁部１２３と、室外側レール１２１ｂの室外側側面より室外側に延設された後に下方に屈曲されて垂下する室外壁部（前壁）１２４とにより構成されている。
改修用下枠本体１２１の下面には、見込み方向に並んで３つの脚部１２１ｃ，１２１ｄ，１２１ｅが垂下されている。３つの脚部１２１ｃ，１２１ｄ，１２１ｅのうち、室内側の脚部１２１ｃは室内壁部１２２の下方に連続するように形成され、室外側の脚部１２１ｅは中間壁部１２３の下方に連続するように形成されており、それぞれ下枠取付補助材３２の上面に当接して、改修用窓枠１にかかる負荷を下枠取付補助材３２に伝達するように構成されている。また、中央の脚部１２１ｄは室内側レール１２１ａの下方近傍より垂下され、下枠取付補助材３２の上面に近接もしくは当接しており、室内側レール１２１ａにかかる負荷により改修用下枠本体１２１が変形することを防止している。
【００１３】
室外側レール１２１ｂの室外側側面より延設される室外壁部（前壁）１２４の室内面には、室外壁部（前壁）１２４を既設下枠２２に支持するための支持片１２４ａが形成され、既設下枠２２の室外側レール２２１ｂの室外側上面にスペーサ７を介して載置されている。また、図３（ｂ）に示すように、室外壁部（前壁）１２４の室内側、さらにいえば、室内側の下端には、先端に上方に向かう係止爪１２４ｃを備える係止片１２４ｂが室内側に向かって形成されており、既設下枠２２に対して改修用下枠１２を設置した際に、既設下枠２２の前壁部（前壁）２２３に固定された前壁浮上り防止部品５の下面に近接もしくは当接するように対向している。
【００１４】
（前壁浮上り防止部品）
本発明の第１の実施形態の改修サッシの前壁浮上り防止部品の構成を、図３、４を参照して説明する。
前壁浮上り防止部品５は、既設下枠２２の前壁部（前壁）２２３に当接して固定される部品本体部５１と、部品本体部５１の室外側面よりほぼ直角に延設される３つの係止受部５２，５３，５４により形成されている。
３つの係止受部５２，５３，５４は部品本体部５１の左右方向に並んで室外側に突出する壁部として構成されており、その下面が改修用下枠本体１２１の室外壁部（前壁）１２４の係止片１２４ｂに当接することにより、改修用下枠１２の浮き上がりを防止している。さらに、係止受部５２，５３，５４の下面室外側には、改修用下枠１２の室外壁部（前壁）１２４の係止片１２４ｂに形成された係止爪１２４ｃに係止する受爪５２ａ，５３ａ，５４ａが形成されており、改修用下枠１２に対して外力がかかったときの改修用下枠１２のはがれや変形を防止している。
部品本体部５１の係止受部５２，５３間、及び、係止受部５３，５４間には、縦に長い長孔５１ａ，５１ａが形成され、部品本体部５１の室外方向両側の上方位置には、上下方向に等間隔（例えば、１ｍｍ間隔）で凹部５１ｂ，５１ｂ・・が形成されている。
【００１５】
そして、図３（ｂ）、図４に示すように、部品本体部５１の室内側面を前壁部（前壁）２２３に対して当接させて、室外側からネジ等を長孔５１ａ，５１ａに挿入して前壁部（前壁）２２３に対して螺合することにより、前壁浮上り防止部品５が既設下枠２２に対して固定される。
前壁浮上り防止部品５を固定する際に、部品本体部５１の室外方向両側の上方位置に形成された凹部５１ｂ，５１ｂを利用して上下方向の位置調節行うことができ、部品本体部５１の上端位置が既設下枠２２の上面に載置されるスペーサ７の高さ寸法とほぼ同一寸法突出するように取り付けることにより、前壁浮上り防止部品５にスペーサ７の室外側端部が当接して、室外方向へのずれを防止することができる。
また、前壁浮上り防止部品５の部品本体部５１に設けられた複数の凹部５１ｂは部品本体部５１の両側部に設けられているので、前壁浮上り防止部品５の上端位置を調節することができると共に、水平となるように調節することができる。
【００１６】
―第２の実施形態−
本発明の第２の実施形態の改修サッシの下枠部分の構成を、図５を参照して説明する。
第２の実施形態は、既設下枠２２に対して改修用下枠１２を取り付けるための構成が第１の実施形態と相違している。以下、詳細に説明する。
【００１７】
第２の実施形態においては、改修用下枠１２を装着するために自重受け材３５が既設下枠２２の室内側レール２２１ａに固定されており、既設下枠２２の室外側レール２２１ｂは切除されている。
自重受け材３５は、短尺部材として構成され、既設下枠２２の左右方向（見付け方向）の適宜箇所に適宜数だけ配置され、ビス等により室内側レール２２１ａに固定されている。自重受け材３５の上面には、スペーサ７を介して長尺状の下枠取付補助部品３６が載置され、下枠取付補助部品３６に改修用下枠１２が載置されている。
【００１８】
改修用下枠１２は、室内側レール１２１ａ及び室外側レール１２１ｂが立設し、室内側の上段部と室外側の下段部とを中間部により連続する階段状の改修用下枠本体１２１と、改修用下枠本体１２１の室内側端より上方に延設され、その室外側面に気密材が配設される室内壁部１２２と、改修用下枠本体１２１の室外側端より垂下する室外壁部（前壁）１２４とにより構成されている。
【００１９】
改修用下枠本体１２１の下段部は、既設下枠２２の室外側上面にスペーサ７を介して載置されている。そして、前記第１の実施形態と同様に、改修用下枠本体１２１の室外側端より垂下する室外壁部（前壁）１２４の下端には、先端に上方に向かう係止爪１２４ｃを備える係止片１２４ｂが室内側に向かって形成されており（図３（ｂ））、既設下枠２２に対して改修用下枠１２を設置した際に、既設下枠２２の前壁部（前壁）２２３に固定された前壁浮上り防止部品５の下面に対向している。
【００２０】
以上の第２の実施形態においては、自重受け材３５は、既設下枠２２の左右方向（見付け方向）の適宜箇所に、適宜数だけ配置されればよいが、図５（ｂ）に示すように、前壁浮上り防止部品５を、既設下枠２２の室内側レール２２１ａに固定される自重受け材３５のうち、中央よりの２つの設置位置に併せて取り付けることにより、改修用下枠１２の室外壁部（前壁）１２４の浮上りを防止するのに効果的な位置に簡単に位置決めすることができる。
【００２１】
以上のように、既設下枠２２の前壁部２２３に前壁浮上り防止部品５が設けられ、改修用下枠１２の浮き上がりを防止することができるので、改修用下枠の前壁を既設下枠の前壁にネジ止めする必要がない。そして、前壁浮上り防止部品５は、既設下枠２２の左右方向（見付け方向）の中央付近に数個取り付ければ足り、改修用下枠１２の左右方向（見付け方向）全長にわたるネジの締付け作業を必要とせず、作業の効率化が図れる。さらに、改修用下枠１２の室外側面にネジの頭が露出しないので、意匠的にも良好である。
【００２２】
また、前壁浮上り防止部品５を、その上端を既設下枠２２の上面より上方に突出させるように既設下枠２２の前壁部２２３に固定することにより、改修用下枠１２を支持するために既設下枠２２に配置されるスペーサ７が室外側に移動することが防止されるので、改修用下枠１２の室外側を確実に載置することができる。
【符号の説明】
【００２３】
１              改修用窓枠
１２          改修用下枠
１２１      改修用下枠本体
１２１ａ  室内側レール
１２１ｂ  室外側レール
１２１ｃ〜１２１ｅ  脚部
１２２      室内壁部
１２３      中間壁部
１２４      室外壁部（前壁）
１２４ａ  支持片
１２４ｂ  係止片
１２４ｃ  係止爪
２              既設窓枠
２２          既設下枠
２２１      既設下枠本体
２２１ａ  室内側レール
２２１ｂ  室外側レール
２２２      室内壁部
２２２ａ  額部
２２３      前壁部（前壁）
３              取付補助材
３２          枠取付補助材
３２１      上壁部
３２２      内壁部
３２３      外壁部
３２３ａ  ネジ孔
３５          自重受け材
３６          下枠取付補助部品
４              障子
５              前壁浮上り防止部品
５１          部品本体部
５１ａ      長孔
５１ｂ      凹部
５２〜５４    係止受部
５２ａ〜５４ａ  受爪
７          スペーサ
Ａ        ：建物躯体
Ｂ        ：アンカー
Ｎ        ：網戸
【図１】
0006422313.tif 000002
【図２】
0006422313.tif 000003
【図３】
0006422313.tif 000004
【図４】
0006422313.tif 000005
【図５】
0006422313.tif 000006